(57)【要約】【課題】  本発明の目的は、輝度の低下やコントラストの低下、発光に要する電力の増加を抑制ししつつ、小型液晶向けに小さな回路規模で動画ぼやけを低減することである。【解決手段】  本発明は、１フレーム期間を複数のフィールド期間に分け、フィールド期間に応じた複数種類の階調電圧群を設定できるようにし、階調電圧生成回路１１２にフィールド期間に応じて異なる種類の階調電圧群を生成し出力する機能を持たせる。【選択図】図１
2007212591.tif 000002
【特許請求の範囲】
【請求項１】
1フレーム期間、階調の表示を保持するホールド型の表示装置において、
複数の画素を有する表示パネルと、
外部システムから、少なくとも１つの画素で表示すべき輝度を示す表示データを入力し、前記表示データを、前記画素へ印加すべき階調電圧に変換する駆動回路とを備え、
前記1フレーム期間は、複数のフィールド期間に分割され、
前記駆動回路は、複数の階調電圧を生成する電圧生成回路と、前記複数の階調電圧から前記表示データに応じた階調電圧を選択し出力する出力回路とを備え、
前記電圧生成回路は、フィールドごとに異なる前記複数の階調電圧を生成することを特徴とする表示装置。
【請求項２】
請求項１の表示装置において、
前記フィールド期間ごとに異なる階調電圧は、前記階調電圧によって前記画素が表示する輝度の各フレーム内での平均値が、前記外部システムから与えられた表示データが示す輝度と等しくなるように設定されることを特徴とする表示装置。
【請求項３】
請求項１の表示装置において、
前記画素に接続される対向電極の電位は、１フレーム期間同じであり、フレームごとに逆相となることを特徴とする表示装置。
【請求項４】
請求項１の表示装置において、
前記1フレーム期間は、2つのフィールド期間に分割され、
前記1フレーム期間内の第1フィールド期間で与えられる階調電圧は、すべての表示データにおいて前記表示データが示す表示すべき動的輝度を与える階調電圧よりも高く設定され、
前記1フレーム期間内の第２フィールド期間で与えられる階調電圧は、すべての表示データにおいて前記表示データが示す表示すべき動的輝度を与える階調電圧よりも低く設定されることを特徴とする表示装置。
【請求項５】
請求項１の表示装置において、
前記1フレーム期間は、2つのフィールド期間に分割され、
前記1フレーム期間内の第1フィールド期間で与えられる階調電圧は、すべての表示データにおいて前記表示データが示す表示すべき動的輝度を与える階調電圧よりも低く設定され、
前記1フレーム期間内の第２フィールド期間で与えられる階調電圧は、すべての表示データにおいて前記表示データが示す表示すべき動的輝度を与える電圧値よりも高く設定されることを特徴とする表示装置。
【請求項６】
請求項４または請求項５の表示装置において、
前記1フレーム期間内の前記第1フィールド期間で与えられる階調電圧により得られる動的輝度と前記表示データが示す表示すべき輝度の差は、前記第２フィールド期間で与えられる階調電圧により得られる動的輝度と前記表示データが示す表示すべき輝度の差に等しいことを特徴とする表示装置。
【請求項７】
請求項４または５の表示装置において、
各画素を黒表示から白表示に切り替えた時に、黒表示に相当する輝度から白表示に相当する輝度に達する時間が、白表示から黒表示に切り替えた時に、白表示に相当する輝度から黒表示に相当する輝度に達する時間よりも長く、前記各フィールド期間時間よりも長い場合には、低輝度を与えるフィールド期間の階調電圧により得られる動的輝度と前記表示データが示す表示すべき輝度の差は、高輝度を与えるフィールド期間の階調電圧により得られる動的輝度と前記表示データが示す表示すべき輝度の差よりも大きいことを特徴とする表示装置。
【請求項８】
請求項４または５の表示装置において、
各画素を白表示から黒表示に切り替えた時に、白表示に相当する輝度から黒表示に相当する輝度に達する時間が、黒表示から白表示に切り替えた時に、黒表示に相当する輝度から白表示に相当する輝度に達する時間よりも長く、前記各フィールド期間よりも長い場合には、低輝度を与えるフィールド期間の階調電圧により得られる動的輝度と前記表示データが示す表示すべき輝度の差は、高輝度を与えるフィールド期間の階調電圧により得られる動的輝度と前記表示データが示す表示すべき輝度の差よりも大きいことを特徴とする表示装置。
【請求項９】
複数の画素を有する表示パネルと、基準電圧を分割することによって、Ｎ種類（Ｎは、２以上の整数）の表示データに対応するＮレベルの階調電圧を生成する電圧生成回路と、外部から入力された表示データを格納するメモリと、前記メモリのライト及びリードを制御する制御回路と、前記電圧生成回路によって生成された前記Ｎレベルの階調電圧の中から前記メモリからリードされた表示データに応じた階調電圧を選択し前記画素へ出力する出力回路と、前記階調電圧を出力されるべき画素を走査する走査回路とを備え、前記１フレーム期間内にＭ種類（Ｍは、２以上の整数）の輝度を前記画素に表示させることにより前記外部から入力された表示データに応じた輝度を実現する表示装置において、
１フレーム期間は、Ｍ個の期間に分割され、
前記電圧生成回路が前記基準電圧を分割することによって前記Ｎレベルの階調電圧を生成するためのＭ個の制御データを保持する保持回路と、
Ｍ個の各分割期間に対応して、前記Ｍ個の制御データを切り替えて、前記電圧生成回路へ出力する切替回路とを備え、
前記走査回路は、前記Ｍ個の各分割期間に対応して１フレーム期間内にＭ回、前記画素を走査し、
前記制御回路は、１フレーム期間内に１回、前記外部から入力された表示データを前記メモリにライトし、Ｍ個の各分割期間に対応して１フレーム期間内にＭ回（Ｍは、２以上の整数）、前記メモリから前記表示データをリードし、
前記電圧生成回路は、前記Ｍ個の各分割期間に対応して、前記１フレーム期間内に前記Ｍ個の制御データに従ったＭ種類の前記Ｎレベルの階調電圧を生成し、
前記出力回路は、前記Ｍ個の各分割期間に対応して、前記１フレーム期間内に前記Ｍ種類の階調電圧を前記画素へ出力することを特徴とする表示装置。
【請求項１０】
請求項９の表示装置において、
前記保持回路は、前記Ｍ個の制御データを外部から設定するためのレジスタを備えることを特徴とする表示装置。
【請求項１１】
請求項９または１０の表示装置において、
フレーム周期で、前記画素での電圧の極性が反転し、
前記保持回路は、正極用の前記Ｍ個の制御データ及び負極用の前記Ｍ個の制御データを保持し、
前記切替回路は、同一画素について、前記保持回路から前記正極用のＭ個の制御データと前記負極用のＭ個の制御データをフレーム周期で交互に読み出し、前記電圧生成回路へ出力することを特徴とする表示装置。
【請求項１２】
請求項１１の表示装置において、
前記画素のラインごとに、前記画素での電圧の極性が反転し、
前記切替回路は、隣接する画素間で、前記保持回路から前記正極用のＭ個の制御データと前記負極用のＭ個の制御データを交互に読み出し、前記電圧生成回路へ出力することを特徴とする表示装置。
【請求項１３】
複数の画素を有する表示パネルと、Ｎ種類（Ｎは、２以上の整数）の表示データに対応するＮレベルの階調電圧を生成する電圧生成回路と、外部から入力された表示データに応じた階調電圧を選択し前記画素へ出力する出力回路と、前記階調電圧を出力されるべき画素を走査する走査回路とを備えた表示装置において、
１フレーム期間は、Ｍ個（Ｍは、２以上の整数）の期間に分割され、
前記電圧生成回路は、Ｍ個の分割期間ごとに異なる前記Ｎレベルの階調電圧を生成することを特徴とする表示装置。
【請求項１４】
請求項１３の表示装置において、
前記電圧生成回路は、前記画素のＲＧＢに関係なく、前記Ｍ個の分割期間ごとに異なる前記Ｎレベルの階調電圧を生成することを特徴とする表示装置。
【請求項１５】
請求項１３または１４の表示装置において、
前記電圧生成回路は、前記Ｍ個の分割期間ごとに前記Ｎレベルの階調電圧のうちの中間レベルの階調電圧をシフトして、前記Ｍ個の分割期間ごとに異なる前記Ｎレベルの階調電圧を生成することを特徴とする表示装置。
【請求項１６】
請求項１５の表示装置において、
前記電圧生成回路は、前記画素での電圧が正極性である場合に、前記Ｍ個の分割期間ごとに前記中間レベルの階調電圧を高くなる方向にシフトし、前記画素での電圧が負極性である場合に、前記Ｍ個の分割期間ごとに前記中間レベルの階調電圧を低くなる方向にシフトすることを特徴とする表示装置。
【請求項１７】
請求項１３から１６の何れかの表示装置において、
１つの画素に対応する外部から入力された１つの表示データは、１フレーム期間中、変化しないことを特徴とする表示装置。
【請求項１８】
請求項１３から１７の何れかの表示装置は、前記１フレーム期間内にＭ種類（Ｍは、２以上の整数）の輝度を前記画素に表示させることにより前記外部から入力された表示データに応じた輝度を実現することを特徴とする表示装置。
【請求項１９】
複数の画素を有する表示パネルと、Ｎ種類（Ｎは、２以上の整数）の表示データに対応するＮレベルの階調電圧を生成する電圧生成回路と、外部から入力された表示データに応じた階調電圧を選択し前記画素へ出力する出力回路と、前記階調電圧を出力されるべき画素を走査する走査回路とを備えた表示装置において、
前記電圧生成回路によって生成される前記Ｎレベルの階調電圧は、前記画素部での電圧の極性に関係なく、前記画素のＲＧＢに関係なく、１フレーム期間内で変化することを特徴とする表示装置。
【請求項２０】
複数の画素を有する表示パネルと、Ｎ種類（Ｎは、２以上の整数）の表示データに対応するＮレベルの階調電圧を生成する電圧生成回路と、外部から入力された表示データに応じた階調電圧を選択し前記画素へ出力する出力回路と、前記階調電圧を出力されるべき画素を走査する走査回路とを備えた表示装置において、
前記電圧生成回路によって生成される前記Ｎレベルの階調電圧のγ特性は、前記画素部での電圧の極性に関係なく、前記画素のＲＧＢに関係なく、１フレーム期間内で変化することを特徴とする表示装置。
【発明の詳細な説明】
【技術分野】
【０００１】
本発明は、液晶表示装置、有機EL(Electro Luminescence)ディスプレイやLCOS(Liquid Crystal On Silicon)ディスプレイのようなホールド型の表示装置に係り、特に動画の表示に適した表示装置に関する。
【背景技術】
【０００２】
表示ディスプレイを特に動画表示の観点で分類した場合、インパルス応答型ディスプレイとホールド応答型ディスプレイに大別される。インパルス応答型ディスプレイとは、ブラウン管の残光特性のように、輝度応答が走査直後から低下するタイプであり、ホールド応答型ディスプレイとは、液晶ディスプレイのように、表示データに基づく輝度を次の走査まで保持し続けるタイプである。
【０００３】
ホールド応答型ディスプレイの特徴としては、静止画の場合はちらつきのない良好な表示品質を得ることができるが、動画の場合には移動する物体の周囲がぼやけて見える、所謂動画ぼやけが発生し、著しく表示品質が低下するという課題がある。この動画ぼやけの発生要因は、物体の移動に伴い視線を移動する際、輝度のホールドされた表示画像に対して移動前後の表示イメージを観測者が補間する、所謂網膜残像に起因するため、表示ディスプレイの応答速度をどれだけ向上させても動画ぼやけは完全に解消しない。これを解決するためには、より短い周波数で表示画像を更新するか、黒画面などの挿入によって一旦網膜残像をキャンセルすることで、インパルス応答型ディスプレイに近づける方法が有効である。
【０００４】
一方、動画が求められるディスプレイとしてはテレビ受像機が代表的なものであり、その走査周波数は例えばNTSC信号では60Hzの飛び越し走査、PAL信号では50Hzの順次走査といったように規格化された信号であり、この周波数に基づき生成した表示画像のフレーム周波数を60Hz乃至50Hzとした場合、周波数は高くないために動画ぼやけを生じてしまう。
【０００５】
この動画ぼやけを改善するための手段として、上記のより短い周波数で画像を更新する技術としては、走査周波数を高めると共に、フレーム間の表示データに基づき補間フレームの表示データを生成し、画像の更新速度を高める手法（以下、補間フレーム生成方法と略す）がある（特許文献１参照）。
【０００６】
黒フレーム（黒画像）を挿入する技術としては、特許文献2に記される表示データの間で黒表示データを挿入する技術（以下、黒表示データ挿入方式と略す）や特許文献3に記されるようにバックライトの点灯および消灯の繰返しを行う技術（以下、ブリンクバックライト方式と略す）がある。
【０００７】
前記黒表示データ挿入方式は、動画ぼやけを改善するための方式として優れた方式であるが、黒表示データを挿入するため、画面全体の輝度が落ちるという問題がある。それを改善するために、特許文献4で記されているように輝度の高い画像の時は、黒表示データの挿入を行わず、輝度の低い画像にのみ黒表示データの挿入を行う方法や、特許文献5に記されているように、1フレーム期間を2つのフィールド期間に分け、画素データの値を2倍とし、2つのフィールド期間のうち、1つめのフィールド期間に前記2倍した画素データを書き込み、2倍した画素データが表示可能レンジを超えた場合のみ、2つ目のフィールドに残余の画素データを書き込むという方式がある。
【０００８】
【特許文献１】特開２００５−６２７５号公報
【特許文献２】特開２００３−２８０５９９号公報
【特許文献３】特開２００３−５０５６９号公報
【特許文献４】特開２００３−３１５７６５号公報
【特許文献５】特開２００４−２４０３１７号公報
【発明の開示】
【発明が解決しようとする課題】
【０００９】
上記技術を適用することで、動画ぼやけを改善できるものの、それに伴い次の課題を含有することが知られている。
【００１０】
補間フレーム生成方法に関しては、本来存在しない表示データを生成することになるため、より正確なデータを生成しようとすると回路規模が増大してしまい、逆に回路規模を抑えると補間生成ミスが発生し、表示品質の点では著しく低下する恐れがある。
【００１１】
一方、黒フレームを挿入する手法では、原理的に補間生成ミスは発生せず、又、回路規模の点でも補間フレーム生成方法と比較して有利である。しかしながら、黒表示データ挿入方式とブリンクバックライト方式は何れにおいても黒フレームの分だけ全階調における表示輝度が低下してしまう。この輝度低下分を補償するために、黒表示データ挿入方式に対してバックライトの輝度を上昇させると、その分だけ消費電力の増大を招くと共に、発熱対策に多大な労力を必要とする。更に、黒表示における光漏れの絶対値が増大することによってコントラストの低下を招いてしまう。一方ブリンクバックライト方式では、非点灯状態から点灯状態に移行するために大電流を要したり、蛍光材料の違いによって可視光の応答速度が波長毎に異なることによる着色が生じる。
【００１２】
また、低輝度の画像にのみ黒を挿入する方式に関しても、低輝度画像において極端にコントラストが低下したり、黒を挿入したり、しなかったりする輝度の境界において、急に輝度が下がる不自然さなどがある。
【００１３】
また、1フレームを2つのフィールド期間に分け、2倍した画素データを書き込む方式においては、液晶の特性などにより、必ずしも与えられた画素データに対応する目視輝度が得られるとは限らないという問題がある。該公知例の方式で液晶の特性を考慮しようとすると、結局、高輝度フレームと、低輝度フレームの両方のデータを生成する必要があり、データ生成回路規模が大きくなるという問題がある。近年携帯電話、携帯ゲーム機など小型の液晶表示装置においても、動画を扱う需要が増大しつつあり、小型の液晶ドライバに搭載するには、該データ生成に要する回路規模は大きすぎるという問題がある。
【００１４】
本発明の目的は、輝度の低下やコントラストの低下、発光に要する電力の増加を抑制ししつつ、小さい回路規模で動画ぼやけを低減した表示装置を提供することである。
【課題を解決するための手段】
【００１５】
本発明は、電圧生成回路に複数種類の階調電圧を設定できるようにし、1フレームを複数のフィールドに分割し、フィールド毎に複数種類の階調電圧を切り替えて使うことにより、外部システムから要求された階調を擬似的に表示する。ここで、複数種類の階調電圧のうち、少なくとも1種類は、切り替えて使わない場合の階調電圧に対し、高輝度を与える階調電圧とし、少なくとも他の種類は切り替えて使わない場合の階調電圧に対し、低輝度を与える階調電圧とするものである。
【００１６】
本発明はさらに、電圧生成回路にフィールド毎に異なる階調電圧を設定できるようにし、1フレーム毎にその異なる階調電圧を切り替えて使うことにより、外部システムから要求された階調を擬似的に表示する。ここで、異なる階調電圧のうち、1種類は、切り替えて使わない場合の階調電圧に対し、高輝度を与える階調電圧とし、他の1種類は切り替えて使わない場合の階調電圧に対し、低輝度を与える階調電圧とし、高輝度を与える階調電圧が与える輝度と切り替えて使わない場合の該表示装置が与える輝度の差は、低輝度を与える階調電圧が与える輝度と切り替えて使わない場合の該表示装置が与える輝度の差に等しいものとする。
【発明の効果】
【００１７】
本発明によれば、１フレーム期間内のフィールド期間に応じて電圧生成回路が異なる階調電圧を生成し、フィールド期間に応じてその異なる階調電圧を切り替えて使うことにより１フレーム期間内で高輝度表示と低輝度表示を切り替えて表示できるので、輝度の低下やコントラストの低下を抑制しつつ、動画ぼやけを低減できる。
【００１８】
また、本発明によれば、電圧生成回路を切り替えて使うだけで実現可能であるので、回路規模を小さくできる。
【発明を実施するための最良の形態】
【００１９】
以下、本明細書においては、外部システムから入力する1画面分の期間を1フレーム期間とし、表示パネルに対して全ての走査ラインを選択する期間を1フィールド期間と定義する。従って一般的な表示装置では1フレーム期間と1フィールド期間は等しくなる。
【００２０】
表示装置において、表示データが一定の状態で走査を繰り返すことで得られる輝度を静的輝度、1フィールド期間での平均輝度を動的輝度、観測者が視認する輝度を目視輝度とする。従って一般的なホールド型の表示装置では表示データが変化しない場合、静的輝度と動的輝度と目視輝度はほぼ等しくなる。
【００２１】
本発明では、外部システムから入力される1フレーム期間に対して複数フィールド期間（例えば、2フィールド期間、３フィールド期間）を割り当てると共に、外部システムから入力された表示データを各フィールド毎に異なる電圧値に変換する。この場合、結果として各フィールド毎に動的輝度は異なる値となる。各フィールド毎に与えられる電圧値は、目視輝度が複数フィールド期間における動的輝度の平均値とほぼ一致するように与えられる。１フレーム期間に対して、各フィールド期間は等分されるのが好ましいが、等分されなくてもよい。
【００２２】
上記における電圧値への変換は、一方のフィールドの動的輝度が他方のフィールドの動的輝度と比較して全ての階調において高いか若しくは等しくなるよう変換を行う。以下ではこのように変換した場合、他方と比較して輝度が高いフィールドを明フィールドと呼び、輝度が低いフィールドを暗フィールドと呼ぶ。低輝度領域では、暗フィールドの輝度を最低輝度とし明フィールドの輝度を中間輝度にするのが好ましい。つまり、明フィールドの輝度の大小に依存して、目視輝度が変化する。一方、高輝度領域では、明フィールドの輝度を最高輝度とし暗フィールドの輝度を中間輝度にするのが好ましい。つまり、暗フィールドの輝度の大小に依存して、目視輝度が変化する。
【００２３】
図10は、上記本発明の概念を示した図である。外部システムから入力された1フレーム分の表示データは、液晶ドライバ１００１内の表示ＲＡＭ１００６に蓄えられる。表示ＲＡＭ１００６に蓄えられた1フレーム分のデータは倍速化回路１００７により、２倍の速度で、2回読み出される。設定パラメータ回路１００５は、明フィールド用と暗フィールド用の2種類のγ曲線設定用設定パラメータを保存することができ、γ調整回路１００２では、2回読み出されたうちの1回を明フィールド用パラメータを用いて階調電圧に変換し、液晶パネルに出力する。もう1回は暗フィールド用パラメータを用いて階調電圧に変換し、液晶パネル１００３に出力する。このように動作することにより、小さな回路規模で、動画ぼやけを改善することができる。
【００２４】
第1フィールド期間で与えられる階調電圧は、すべての表示データにおいて表示データが示す表示すべき動的輝度を与える階調電圧よりも高く設定し、第２フィールド期間で与えられる階調電圧は、すべての表示データにおいて表示データが示す表示すべき動的輝度を与える階調電圧よりも低く設定する。逆に、第1フィールド期間で与えられる階調電圧は、すべての表示データにおいて表示データが示す表示すべき動的輝度を与える階調電圧よりも低く設定し、第２フィールド期間で与えられる階調電圧は、すべての表示データにおいて表示データが示す表示すべき動的輝度を与える電圧値よりも高く設定してもよい。
【００２５】
第1フィールド期間で与えられる階調電圧により得られる動的輝度と表示データが示す表示すべき輝度の差は、第２フィールド期間で与えられる階調電圧により得られる動的輝度と表示データが示す表示すべき輝度の差に等しくするのが好ましい。黒表示から白表示に切り替えた時に、黒表示に相当する輝度から白表示に相当する輝度に達する時間が、白表示から黒表示に切り替えた時に、白表示に相当する輝度から黒表示に相当する輝度に達する時間よりも長く、フィールド期間時間よりも長い場合には、低輝度を与えるフィールド期間の階調電圧により得られる動的輝度と表示データが示す表示すべき輝度の差は、高輝度を与えるフィールド期間の階調電圧により得られる動的輝度と表示データが示す表示すべき輝度の差よりも大きい。逆に、各画素を白表示から黒表示に切り替えた時に、白表示に相当する輝度から黒表示に相当する輝度に達する時間が、黒表示から白表示に切り替えた時に、黒表示に相当する輝度から白表示に相当する輝度に達する時間よりも長く、各フィールド期間よりも長い場合には、低輝度を与えるフィールド期間の階調電圧により得られる動的輝度と表示データが示す表示すべき輝度の差は、高輝度を与えるフィールド期間の階調電圧により得られる動的輝度と表示データが示す表示すべき輝度の差よりも大きくてもよい。
【実施例１】
【００２６】
以下、本発明の最良の実施形態の１つである第１の実施形態について説明する。
【００２７】
図１は、第１の実施形態の表示装置のブロック図である。図１において、１００は表示装置、１０１は階調を示す表示データに応じた階調電圧を出力する列駆動回路（データドライバ）、１１７は液晶表示パネル、１１４は液晶表示パネル１１７の画素のラインを例えば１水平期間ごとに順次走査する走査ドライバである。列駆動回路１０１において、１０２は外部システム（CPU1及び主メモリ2）からシステムバス3を介して表示データや制御信号（例えば、同期信号）、制御データ（例えば、γ値）を受信するシステムインターフェイス、１０３は制御データを設定するデータレジスタ、１０７はタイミング信号（例えば、水平同期信号、垂直同期信号）を生成するタイミング生成回路、１０４は表示メモリ106へのライト動作を制御するメモリライト制御回路、１０５は表示メモリ106からのリード動作を制御するメモリリード制御回路、１０９は第１の階調電圧変換値を記憶する第１の階調電圧変換値記憶メモリ、１１０は第２の階調電圧変換値を記憶する第２の階調電圧変換値記憶メモリ、１１１は第１の階調電圧変換値と第２の階調電圧変換値とを切り替える階調電圧切り替え回路、１１２は複数の表示データに応じて複数の電圧を生成する階調電圧生成回路、１０８は時分割回路、１１３は階調電圧生成回路１１２からの複数レベルの階調電圧から表示データに応じた階調電圧を選択し出力する列電圧出力回路（デジタル／アナログ変換回路）、１１９は少なくとも１フレーム分（１画面分）の表示データを格納する可能な表示メモリである。
【００２８】
液晶表示パネル１１７は、列電圧出力回路１１３により駆動される列駆動ライン１１６および走査ドライバ１１４により駆動される行駆動ライン１１５により、駆動される。また液晶表示パネル１１７において、１２２は画素部であり、例えば低温ポリシリコンＴＦＴ素子で、ガラス基板上に形成されているものとする。また、画素部１２２が駆動する表示素子は、例えばＴＮ型の液晶であり、所定の電圧レベルを印加することで、多色表示を行うものとする。また、表示装置に入力する表示データは、Ｒ（赤）Ｇ（緑）Ｂ（青）各８ビットのデジタルデータとする。ただし、各色のビット数はこれに限定されない。列駆動ラインは信号線、行駆動ラインは走査線などと呼ぶ場合もあるが、本実施形態では列駆動、行駆動という言葉を用いるものとする。尚、システムインターフェイス１０２は、列駆動回路１０１内部に配置されてもよいし、列駆動回路１０１外部に配置されてもよい。画素部１２２での極性は、対向電極の電圧に対して階調電圧が高い場合に、正極性として、対向電極の電圧に対して階調電圧が低い場合に、負極性とする。
【００２９】
次に、第１の実施形態の表示装置の動作について説明する。
【００３０】
列駆動回路１０１の動作について説明する。列駆動回路１０１へは、ＣＰＵ１から表示装置の動作を制御する制御データがシステムバス３を介して与えられる。制御データには表示データの表示位置、駆動ライン数、フレーム周波数などに関するデータが含まれている。
【００３１】
システムインターフェイス１０２は、上記制御データをデータレジスタ１０３内の、ＣＰＵ１によって指定されたアドレスに書き込む。そして、データレジスタ１０３に格納された各種制御データは各ブロックへ出力される。例えば、表示データは表示メモリ１０６へ、表示位置データはメモリライト制御回路１０４へ、駆動ライン数、フレーム周波数などに関するデータはタイミング生成回路１０７へ出力される。表示メモリへの書き込みタイミングは、表示メモリ１０６が１フレーム分しかない場合は、フレーム周波数に同期して行われる。２フレーム分以上ある場合は、奇数フレームと偶数フレームで異なるアドレスに、書き込まれる。
【００３２】
メモリライト制御回路１０４は、表示位置データをデコードし、これに相当する表示メモリ１０６内のビット線とワード線を選択する。これと同時にデータレジスタ１０３から表示データを表示メモリ１０６へ出力し、書き込み動作を完了する。
【００３３】
図１２にタイミング制御回路１０７の詳細なブロック図を示す。タイミング制御回路１０７は、内部クロック生成回路１２０１で生成される、（フレーム周波数×２×パネルのライン数）以上の周波数を持つ図示せざる内部クロックにより駆動され、データレジスタ１０３から与えられる駆動データに基づき、図４に示すタイミング信号群を自ら生成し、メモリリード制御回路１０５、時分割回路１０８、列電圧出力回路１１３へ出力する。
【００３４】
本実施形態では内部クロックは、図４に示すライン信号の波形であり、(フレーム周波数×２×(パネルのライン数＋α))の周波数であるとする。ここでαは最終ライン書き込みから最初のライン書き込みまでの時間（例えば、帰線期間）を与える適当な数であり、例えば１６ぐらいであるとする。ライン信号生成回路１２０２は、図４に示すライン信号を内部クロックより生成する。本実施形態では、内部クロックがそのまま、ライン信号となる。フィールド信号生成回路は、ライン信号によりカウントアップされるカウンタにより構成される。該カウンタは、カウント値が（ライン数+α）になるとフィールド信号を出力し“０”に戻る。その結果、（ライン数+α）ラインごとにフィールド信号が生成される。フレーム信号生成回路１２０５は、フィールド信号によりカウントアップされるカウンタにより構成されており、カウンタ値が２になるとフレーム信号を出力し、“０”に戻る。その結果図４に示すように、２フィールドごとにフレーム信号が生成される。また、奇偶フレーム信号生成回路１２０７は、フレーム信号によりカウントアップされる１ビットカウンタであり、フレーム信号が入力されるたびに出力は“Ｈｉ”“Ｌｏｗ”“Ｈｉ”“Ｌｏｗ”と変化する。これにより、図４に示す奇偶フレーム信号が生成される。γ設定値切り替え信号生成回路１２０６は、フレーム信号でセットされ、フィールド信号でカウントアップされる１ビットカウンタにより構成され、１フレームの中の１フィールド目は“Ｈｉ”、２フィールド目は“Ｌｏｗ”となるγ設定値切り替え信号を出力する。また、交流化信号生成回路１２０３は、フィールド信号でリセットされ、ライン信号でカウントアップする１ビットカウンタにより構成され、1ラインごとにレベルが”ハイ”と”ロー”とが切り替わるように生成される。交流化信号は、該カウンタの出力値と奇偶フレーム信号の排他的論理和出力とする。したがって図４に示すように、1フレーム期間中は、同じラインでは交流化信号の極性が同じになるように、次のフレームでは極性が逆になるように生成される。例えば、第1フレーム期間においては、第1フィールド期間も第2フィールド期間も第1ライン目は”ハイ”、第2ライン目は”ロー”、第２フレーム期間においては、第1フィールド期間も第2フィールド期間も第1ライン目は”ロー”、第2ライン目は”ハイ”、 第３フレーム期間においては、第1フィールド期間も第2フィールド期間も第1ライン目は”ハイ”、第2ライン目は”ロー”となるように生成される。γ設定値切り替え信号は、フィールド毎に“ハイ”と“ロー”とで極性が切り替わるように生成される。
【００３５】
メモリリード制御回路１１５は、タイミング制御回路１０７が出力する信号をデコードし、該当する表示メモリ１０６内のワード線を選択する。この動作は、例えば画面の先頭行の表示データが格納されているワード線から順に1行ずつ選択し、最終行の次は、再び先頭行に戻ってこの動作を繰り返す。そして、ワード線の選択動作と同時に表示メモリ１０６のデータ線から1行分の表示データが順次一括して出力される。ここで、ワード線の切り替えタイミングは、タイミング生成回路１０７から与えられるライン信号に同期し、先頭行のワード線を選択するタイミングは、タイミング生成回路１０７から与えられるフィールド信号に同期するものとする。表示メモリが２フレーム分以上ある場合は、フレーム信号に同期して、読み出し先頭アドレスを変更する。
【００３６】
例えば、図５に示すように、メモリライト制御回路は奇数フレーム先頭アドレスから、奇数フレーム終了アドレスに奇数フレームの表示データを書き込む。次に、フレーム信号に同期して、偶数フレーム先頭アドレスから遇数フレーム終了アドレスに遇数フレームの表示データを書き込む。偶数フレームの表示データ書き込みが終了したら、フレーム信号に同期して、奇数フレーム先頭アドレスに戻り、奇数フレームの先頭アドレスから奇数フレーム終了アドレスに奇数フレームの表示データを書き込む。
【００３７】
メモリリード制御回路１０５は、１フレーム期間あたり、同一表示データを２回表示メモリから読み出す。つまり、メモリリード制御回路１０５は、フレーム信号を受け取ると、奇偶フレーム信号が“Ｈｉ”の場合には、奇数フレーム先頭アドレスから1行分の表示データを取り出し、列電圧出力回路１１３へ出力する。ライン信号に同期して、１行分ずつ順次表示データを読み出す。奇数フレーム終了アドレスまでのデータを読み出したら、奇偶フレーム信号が“Ｈｉ”なので、フィールド信号に同期して奇数フレーム先頭アドレスに戻り、再度奇数フレームのデータを列電圧出力回路１１３へ出力する。次に、フィールド信号、フレーム信号が入力され、奇偶フレーム信号が“Ｌｏｗ”になっていると、偶数フレーム先頭アドレスへ移動する。さらにライン信号に同期して、１行分ずつ表示データを取り出す。偶数フレーム終了アドレスまでのデータを読み出したら、奇偶フレーム信号が“Ｌｏｗ”なので、フィールド信号に同期して偶数フレーム先頭アドレスに戻り、再度偶数フレームのデータを列電圧出力回路へ出力する。次に、偶数フレーム終了アドレスまでのデータを読み出したら、奇偶フレーム信号が“Ｈｉ”となるので、フィールド信号、フレーム信号に同期して奇数フレーム先頭アドレスへ移動する。  階調電圧生成回路１１２は、表示データを階調電圧へ変換する際に必要な複数レベルの階調電圧を生成し、出力する。例えば、表示データが８ビットである場合は、表示データは２５６種類であるので、２５６レベルの階調電圧を生成する。階調電圧生成回路１１２では、例えば、電源回路（図示なし）からの基準電圧を抵抗により分圧し、Ｖ０からＶ２５５の２５６レベルの階調電圧を作り出す。ここで、Ｖ０はデータ０に対応する階調電圧であり、Ｖ２５５はデータ２５５に対応する階調電圧である。尚、階調電圧とデータの関係は逆であってもよい。
【００３８】
タイミング生成回路１０７で生成され、フィールド信号に同期して切り替えられるγ設定値切り替え信号により、階調電圧変換値切り替え回路１１１で第１の階調電圧変換値記憶メモリ１０９と第２の階調電圧変換値記憶メモリ１１０の値が切り替えられ、階調電圧生成回路１１２に入力される。
【００３９】
第１の階調電圧変換値記憶メモリ１０９は、正極用の第１の階調電圧変換値を記憶する正極用設定値記憶メモリ１１８と、負極用の第１の階調電圧変換値を記憶する負極用設定値記憶メモリ１１９とを有する。正極用の第１の階調電圧変換値は、階調電圧生成回路１１２がγ調整後の正極の明フィールド用の複数レベルの階調電圧を生成するような値である。負極用の第１の階調電圧変換値は、階調電圧生成回路１１２がγ調整後の負極の明フィールド用の複数レベルの階調電圧を生成するような値である。第２の階調電圧変換値記憶メモリ１１０は、正極用の第２の階調電圧変換値を記憶する正極用設定値記憶メモリ１２０と、負極用の第２の階調電圧変換値を記憶する負極用設定値記憶メモリ１２１とを有する。正極用の第２の階調電圧変換値は、階調電圧生成回路１１２がγ調整後の正極の暗フィールド用の複数レベルの階調電圧を生成するような値である。負極用の第２の階調電圧変換値は、階調電圧生成回路１１２がγ調整後の負極の暗フィールド用の複数レベルの階調電圧を生成するような値である。尚、γ調整は、必須ではない。階調電圧変換値は、ＲＧＢの各色ごとに異なる値でもよいし、同一の値でもよい。また、ＲＧＢに関係なく、第１の階調電圧変換値と第２の階調電圧変換値は異なる。階調電圧生成回路１１２が可変抵抗にて基準電圧を分圧している場合は、階調電圧変換値はその可変抵抗値であるのが好ましく、階調電圧生成回路１１２が選択回路にて基準電圧を分圧している場合は、階調電圧変換値はその選択回路の選択位置であるのが好ましい。
【００４０】
図３（ａ）は、画素部１２２の電圧が正極性の場合の階調番号に対する出力階調電圧の特性を示し、図（ｂ）は、画素部１２２の電圧が負極性の場合の階調番号に対する出力階調電圧の特性を示し、図３（ｃ）は、階調番号に対する輝度の特性（γ特性）を示す。階調番号は、表示データにより定まる。階調番号に対する出力階調電圧の特性とは、列駆動回路１０１の入出力特性である。
【００４１】
階調電圧生成回路１１２では、第１の階調電圧変換値記憶メモリ１０９内の正極用設定値記憶メモリ１１８と負極用設定値記憶メモリ１１９に格納された値、第２の階調電圧変換値記憶メモリ１１０内の正極用設定値記憶メモリ１２０と負極用設定値記憶メモリ１２１に格納された値に対応して、基準電圧に対する抵抗による分圧比や分圧位置などを変更することにより、図３の（ａ）(ｃ)のグラフに示すように、１つの表示データに対して４種類の階調電圧を出力する。すなわち、階調電圧生成回路１１２は、特性曲線３０１に沿った正極の明フィールドの階調電圧群と特性曲線３０９に沿った負極の明フィールドの階調電圧群、特性曲線３０３に沿った正極の暗フィールドの階調電圧群と特性曲線３０７に沿った負極の暗フィールドの階調電圧群を生成し、出力する。図３（ａ）は図４に示す交流化信号が正極のときの階調電圧特性であり、図４（ｃ）は図４に示す交流化信号が負極のときの階調電圧特性である。交流化信号は、各画素１２２の対抗電極（ＶＣＯＭ）に接続され、交流化信号を交流化させることにより、各画素１２２のトランジスタのドレイン端子に大きな電圧を与えなくても、液晶に与える電圧を正極性、負極性と振ることができ、液晶の劣化を防ぐことができる。従って、交流化信号が正極の時、特性曲線３０１に沿った階調電圧群と特性曲線３０３に沿った階調電圧群とをフィールドごとに切り替えて生成し、出力し、負極の時、特性曲線３０７に沿った階調電圧群と特性曲線３０９に沿った階調電圧群とを切り換えて生成し、出力する。特性曲線３０２と特性曲線３０８は、切り替えを行わない時の特性曲線である。よって、正極用の第１の階調電圧変換値により、特性曲線３０１が実現され、負極用の第１の階調電圧変換値により、特性曲線３０９が実現され、正極用の第２の階調電圧変換値により、特性曲線３０３が実現され、負極用の第２の階調電圧変換値により、特性曲線３０７が実現される。
【００４２】
図３（ａ）に示すように、正極の場合、明フィールドの特性曲線３０１は、表示データにそのまま対応する特性曲線３０２及び暗フィールドの特性曲線３０３に対し、両端点をほぼ同じにして、中間部分が全体的に高い。よって、同一階調番号、つまり、同一表示データでは、明フィールドの階調電圧は、表示データにそのまま対応する階調電圧及び暗フィールドの階調電圧よりも高い。逆に、暗フィールドの特性曲線３０３は、表示データにそのまま対応する特性曲線３０２及び明フィールドの特性曲線３０１に対し、両端点をほぼ同じにして、中間部分が全体的に低い。よって、同一表示データでは、暗フィールドの階調電圧は、表示データにそのまま対応する階調電圧及び明フィールドの階調電圧よりも低い。図３（ｃ）に示すように、負極の場合、明フィールドの特性曲線３０９は、表示データにそのまま対応する特性曲線３０８及び暗フィールドの特性曲線３０７に対し、両端点をほぼ同じにして、中間部分が全体的に低い。よって、同一表示データでは、明フィールドの階調電圧は、表示データにそのまま対応する階調電圧及び暗フィールドの階調電圧よりも低い。逆に、暗フィールドの特性曲線３０７は、表示データにそのまま対応する特性曲線３０８及び明フィールドの特性曲線３０９に対し、両端点をほぼ同じにして、中間部分が全体的に高い。よって、同一表示データでは、暗フィールドの階調電圧は、表示データにそのまま対応する階調電圧及び明フィールドの階調電圧よりも高い。
【００４３】
列電圧出力回路１１３は、表示データに対応する階調電圧を選択し、液晶表示パネル１１７へ出力する。つまり、列電圧出力回路１１３は、１つの画素に対応する１つの表示データに対応して、第１フィールド期間で１つの階調電圧（明フィールド用の階調電圧）を画素部１２２へ出力し、第２フィールド期間で１つの階調電圧（暗フィールド用の階調電圧）を同一画素部１２２へ出力する。
【００４４】
図４は、ライン交流動作を示しており、液晶の１ラインごとに液晶へ印加される電圧の極性が正極と負極で切り替わる。１フレーム期間は、同じラインは同じ極性であり、フレームが変わると（次の１フレーム期間では）、同じラインは逆極性となる。例えば、図４に示すように、第１フレーム期間、第１フィールド期間の第１列目は“Ｈ”すなわち負極性とすると、第１フレーム期間、第２フィールド期間の第１列目は“Ｈ”すなわち負極性、第２フレーム期間、第１フィールド期間の第１列目は“Ｌ”すなわち正極性、第２フレーム期間、第２フィールド期間の第１列目は“Ｌ”すなわち正極性、第３フレーム期間、第１フィールド期間の第１列目は“Ｈ”すなわち負極性となる。正極の特性曲線３０１，特性曲線３０２，特性曲線３０３のそれぞれ、または負極の特性曲線３０９、特性曲線３０８、特性曲線３０７のそれぞれに沿った階調電圧を画素部１２２に与えられた時、画素部１２２の各階調に対する動的輝度は、特性曲線３０４，特性曲線３０５，特性曲線３０６のそれぞれのようになる。すなわち、１フィールド期間ごとに、各階調データに対応する階調電圧が正極性のラインでは、特性曲線３０１と特性曲線３０３とが切り替わる。負極性のラインでは、特性曲線３０９と特性曲線３０７とが切り替わる。このように動作することにより、図２の上の図で与えられた階調信号が、周波数２倍化され、ある画素において、第１フィールド(α)の時間には、Ａだけ高い動的輝度で表示され、第２フィールド(β)の時間には、Ａだけ低い動的輝度で表示され、結果として目視輝度はＡ‘となる。次のフレームでは最大階調が与えられたとすると、第１フィールド(α)、第２フィールド(β)の時間ともに最大輝度で表示され、結果として目視輝度は最大輝度となる。第１フィールド(α)の時間には、Ｂだけ高い動的輝度で表示され、第２フィールド(β)の時間には、Ｂだけ低い動的輝度で表示され、結果として目視輝度はＢ‘となる。
【００４５】
よって、同一画素に関して、第１フレーム期間の第１フィールド期間では、階調電圧切り替え回路１１１は、第１の階調電圧変換値記憶メモリ１０９を選択し、負極用設定値記憶メモリ１１９内の負極用の第１の階調電圧変換値が、階調電圧生成回路１１２に入力され、特性曲線３０９に沿った複数レベルの階調電圧が、階調電圧生成回路１１２から列電圧出力回路１１３へ出力される。第１フレーム期間の第２フィールド期間では、階調電圧切り替え回路１１１は、第２の階調電圧変換値記憶メモリ１１０を選択し、負極用設定値記憶メモリ１２１内の負極用の第２の階調電圧変換値が、階調電圧生成回路１１２に入力され、特性曲線３０７に沿った複数レベルの階調電圧が、階調電圧生成回路１１２から列電圧出力回路１１３へ出力される。第２フレーム期間の第１フィールド期間では、階調電圧切り替え回路１１１は、第１の階調電圧変換値記憶メモリ１０９を選択し、正極用設定値記憶メモリ１１８内の正極用の第１の階調電圧変換値が、階調電圧生成回路１１２に入力され、特性曲線３０１に沿った複数レベルの階調電圧が、階調電圧生成回路１１２から列電圧出力回路１１３へ出力される。第２フレーム期間の第２フィールド期間では、階調電圧切り替え回路１１１は、第２の階調電圧変換値記憶メモリ１１０を選択し、正極用設定値記憶メモリ１２０内の正極用の第２の階調電圧変換値が、階調電圧生成回路１１２に入力され、特性曲線３０３に沿った複数レベルの階調電圧が、階調電圧生成回路１１２から列電圧出力回路１１３へ出力される。ライン交流動作ではラインごとに画素部１２２の電圧の極性が反転するので、隣接するライン（隣接する走査線）の画素間で、正極用設定値記憶メモリと負極用設定値記憶メモリの選択が反転する。ドット反転動作では列ごとに画素部１２２の電圧の極性が反転するので、隣接する列（隣接する信号線）の画素間で、正極用設定値記憶メモリと負極用設定値記憶メモリの選択が反転する。尚、本発明にとって、交流動作は必須ではない。
【００４６】
このように動作することにより、外部システムから与えられた目視輝度を表示することができ、また暗い(低輝度の)画像が高輝度の画像の間に挿入されることにより、ぼやけ感を少なくすることができる。またこのように、交流化信号をフレーム単位で交流させ、フィールド間は固定とすることにより、直流成分をなくすことができ、液晶の劣化を抑えることができる。なお、本実施形態においては、明フィールドを先に、暗フィールドを後に表示したが、順番は逆でも同じ効果を得ることができ、本発明は明フィールド、暗フィールドの順番には寄らない。
【実施例２】
【００４７】
次に、第２の実施形態を図１、図６、図７、図８を参照して説明する。図１は、第１の実施形態でも用いた図であるが、第２の実施形態においても、共通して用いる。図１において、各ブロックの役割は第１の実施形態と同じであり、タイミング生成回路で作られる信号のみが第１の実施形態と異なる。本第２の実施形態は、１フレーム期間を３つのフィールド期間に分割する点で第１の実施形態と異なる。
【００４８】
図６を参照して、本第２の実施形態の動作について説明する。
【００４９】
図６に置いて、フィールド信号はフレーム信号に対し、３倍の周波数で出力される。
【００５０】
図６もライン交流動作を示しており、液晶の１ラインごとに正極、負極が切り替わる。１フレーム期間は、同じラインは同じ極性であり、フレームが変わると、同じラインは逆極性となる。例えば、図４に示すように、第１フレーム期間、第１フィールド期間の第１列目は“Ｈ”すなわち負極性とすると、第１フレーム期間、第２フィールド期間の第１列目は“Ｈ”すなわち負極性、第１フレーム期間、第３フィールド期間の第１列目は“Ｈ”すなわち負極性、第２フレーム期間、第１フィールド期間の第１列目は“Ｌ”すなわち正極性、第２フレーム期間、第２フィールド期間の第１列目は“Ｌ”すなわち正極性、第２フレーム期間、第３フィールド期間の第１列目は“Ｌ”すなわち正極性、第３フレーム期間、第１フィールド期間の第１列目は“Ｈ”すなわち負極性となる。
【００５１】
図７は、本第２の実施形態の階調データに対する出力階調電圧及び輝度を示す図である。（ａ）は、正極性のラインに与える出力階調電圧を示す図であり、（ｃ）は負極性のラインに与える出力階調電圧を示す図であり、（ｂ）は（ａ）と（ｃ）の変換特性を用いた場合の、階調に対する動的輝度を示す図である。正極性のラインにおいては７０１，７０２，７０３を与えることにより、液晶の各階調に対する動的輝度は、７０４，７０５，７０６のようになる。また、正極性のラインにおいては７０９、７０８、７０７の階調電圧を与えることにより、液晶の各階調に対する動的輝度は、７０４，７０５，７０６のようになる。本第２の実施例において、動的輝度７０４と７０５の差は、動的輝度７０６と７０５の差の２分の１になるように設定されている。
【００５２】
タイミング生成回路１０７により生成されるγ設定値切り替え信号は、図６に示すように、各フレームにおいて最初の２フィールドの間“Ｈｉ”、最後の１フィールド期間中“Ｌｏｗ”に制御される。すなわち最初の２フィールド期間は各階調データに対応する階調電圧は７０１と７０９、最後の１フィールドは７０３と７０７の曲線に切り替え制御される。
【００５３】
また、表示メモリからの読み出しは、第１の実施例と同じように動作し、フィールド信号とフレーム信号が入力されたときは、次のフレームに読み出し先頭アドレスを更新し、フィールド信号のみが入力されたとき、今まで読んでいたフレームが格納されている領域の先頭アドレスに戻る。このように動作することにより、外部システムから与えられた階調信号が、周波数３倍化され、図８に示すようにある画素において、第１フィールド(α)、第２フィールド(β)の時間には、Ａ／２だけ高い動的輝度で表示され、第３フィールド(δ)の時間には、Ａだけ低い動的輝度で表示され、結果として目視輝度はＡ‘となる。次のフレームでは最大階調が与えられたとすると、第１フィールド(α)、第２フィールド(β) 、第３フィールド(δ)の時間ともに最大輝度で表示され、結果として目視輝度は最大輝度となる。第１フィールド(α)、第２フィールド(β)の時間には、Ｂ／２だけ高い動的輝度で表示され、第３フィールド(δ)の時間には、Ｂだけ低い動的輝度で表示され、結果として目視輝度はＢ‘となる。
【００５４】
このように動作することにより、外部システムから与えられた目視輝度を表示することができ、また暗い(低輝度の)画像が高輝度の画像の間に挿入されることにより、ぼやけ感を少なくすることができる。
【００５５】
さらに液晶によっては、電圧のステップ入力を加えた時に、輝度の応答が遅い、または立上がり、立下り特性に大きな差があるという場合もある。例えば、図９に示すように、立ち上がりが非常に遅く、立下りが早く、立上がりのみ１フィールド期間内で目的の輝度に達することができない場合には、あらかじめ、高輝度側の階調電圧として目的の輝度を与える階調電圧より高い電圧９０２を与えることにより、１フィールド期間内に、目的の輝度まで上げるように図１１に示す通常の階調電圧設定値３０１よりも高い階調設定値３０４を与えることにより、さらに良好な表示特性を得ることができる。
【００５６】
また逆に立下りが非常に遅く、立ち上がりが早く、立下りのみ１フィールド期間内で目的の輝度に達することができない場合には、あらかじめ、低輝度側の階調電圧として目的の輝度を与える階調電圧より低い電圧を与えることにより、１フィールド期間内に、目的の輝度まで下げるようにできる。通常の階調電圧設定値３０３よりも低い階調設定値を与えることにより、さらに良好な表示特性を得ることができる。
【００５７】
このように、高輝度側の階調電圧と低輝度側の階調電圧の大きさを液晶の特性に合わせて変えることにより、さらに良好な表示特性を得ることができる。
【産業上の利用可能性】
【００５８】
本発明は、動画を表示するテレビやパーソナルコンピュータ、携帯電話に適用可能である。
【図面の簡単な説明】
【００５９】
【図１】第１、第２の実施形態における液晶表示装置の構成を示す図である。
【図２】本発明の基本概念を説明する図である。
【図３】第１の実施形態における階調データと階調電圧、階調データと階調輝度の関係を示す図である。
【図４】第１の実施形態における液晶駆動波形を示す図である。
【図５】表示メモリのデータ格納方法の１例を示す図である。
【図６】第２の実施形態における液晶駆動波形を示す図である
【図７】第２の実施形態における階調データと階調電圧、階調データと階調輝度の関係を示す図である。
【図８】第２の実施形態における動作概念図を示す図である。
【図９】液晶の電圧輝度特性において、立上がり波形と立下り波形の特性に大きな差があるときの階調電圧設定方法を説明する図である。
【図１０】本発明の概念を示す図である。
【図１１】液晶の電圧輝度特性において、立上がり波形と立下り波形の特性に大きな差があるときの階調電圧設定方法を説明する図である。
【図１２】第１、第２の実施形態における液晶表示装置のタイミング生成回路の構成を示す図である。
【符号の説明】
【００６０】
１：ＣＰＵ
２：主メモリ
３：システムバス
１００：表示装置
１０１：列駆動回路
１０２：システムインターフェイス
１０３：データレジスタ
１０４：メモリライト制御回路
１０５：メモリリード制御回路
１０６：表示メモリ
１０７：タイミング生成回路
１０９：第１の階調電圧変換値記憶メモリ
１１０：第２の階調電圧変換値記憶メモリ
１１１：階調電圧切り替え回路
１１２：階調電圧生成回路
１１３：列電圧出力回路
１１４：走査ドライバ
１１５：行駆動ライン
１１６：列駆動ライン
１１７：液晶表示パネル
１２２：画素部
１００１：液晶ドライバ
１００２：γ調整回路
１００３：液晶パネル
１００５：設定パラメータ回路
１００６：表示ＲＡＭ
１００７：倍速化回路
【図１】
2007212591.tif 000003
【図２】
2007212591.tif 000004
【図３】
2007212591.tif 000005
【図４】
2007212591.tif 000006
【図５】
2007212591.tif 000007
【図６】
2007212591.tif 000008
【図７】
2007212591.tif 000009
【図８】
2007212591.tif 000010
【図９】
2007212591.tif 000011
【図１０】
2007212591.tif 000012
【図１１】
2007212591.tif 000013
【図１２】
2007212591.tif 000014